(57)【特許請求の範囲】
【請求項１】
光学機器の接眼部に装着される装着部と、前記装着部から前記接眼部の光軸方向に延びており、外周面が前記装着部の外周面と向かい合うように折り返しが可能な目当て部と、前記目当て部のうち目を当てる側の端部外周に形成されたフランジ部と、を備えたアイカップと、
前記アイカップの前記目当て部の外周に装着可能な保護キャップと、を有し、
前記目当て部のうち前記フランジ部を除いた部分の外径が前記装着部の外径よりも大きいとともに、前記目当て部の内径が前記装着部の外径以上であり、
前記フランジ部は、前記目当て部が折り返されていないときの前記フランジ部の外径を、折り返された前記目当て部の外径と略等しくさせる大きさを有しており、
前記目当て部が折り返されていないときの前記フランジ部と、折り返された前記目当て部の外径部とが前記保護キャップの同一部分に装着可能であることを特徴とする光学機器。
【請求項２】
前記アイカップは、前記装着部および前記目当て部の間に形成された肉薄部分を有することを特徴とする請求項１に記載の光学機器。
【請求項３】
前記保護キャップは、前記目当て部が折り返されていないときの前記フランジ部および、折り返された前記目当て部のいずれの外周にも嵌合を可能とする一定内径の凹部を有することを特徴とする請求項１又は２に記載の光学機器。
【請求項４】
前記凹部の内径が、前記目当て部が折り返されてないときの前記フランジ部の外径および、折り返された前記目当て部の外径よりも小さいことを特徴とする請求項３に記載の光学機器。
【発明の詳細な説明】
【０００１】
【発明の属する技術分野】
本発明は、接眼部において、折り返しが可能なアイカップと、これに被せて使用される保護キャップとを有して構成される光学機器に関する。
【０００２】
【従来の技術】
ビデオカメラ等の光学機器のファインダー接眼部には、目と接眼部との間から外光が入ってファインダーが見にくくなるのを防止したり、接眼窓と目の位置関係を一定に保ち易くしたりすること等を目的として、ファインダー接眼部の周囲を覆い、使用者の目の周囲の顔面に押し当てて使用されるアイカップが装着されることが多い。
【０００３】
このアイカップは、柔軟なゴム材で作られ、接眼部に装着される装着部と、この装着部から接眼部の光射出方向に延びて使用者の顔面に押し付けられる目当て部とを有している。
【０００４】
また、このようなアイカップには、眼鏡使用者でも良好なファインダー観察ができるように、目当て部を内周側が外周側となるように、つまり外側に折り返して使うことができるものがある。
【０００５】
そして、光学機器を使用しないときは、このアイカップの目当て部に保護キャップを被せ、接眼窓を保護するようにする。ここで、従来の保護キャップを併用するタイプの折り返し可能なアイカップとしては、特開平８−１９００５９号公報の図１等に記載されているものがある。
【０００６】
【発明が解決しようとする課題】
しかしながら、上記公報に記載されているアイカップでは、目当て部を折り返すことによって、目当て部が二重になり、目当て部の外径が大きくなる。このため、折り返えされていない目当て部の外径に合わせた一定内径の凹部のみを有する保護キャップでは、折り返えされた状態の目当て部に装着することができない。
【０００７】
なお、上記公報提案の保護キャップのように、折り返されていない目当て部の外周に嵌合する小径の凹部と、折り返された目当て部の外周に嵌合する大径の凹部とを有する２段筒形状とすれば、折り返されているか否かにかかわらず目当て部に保護キャップを装着することは可能であるが、保護キャップの形状が複雑になり高コスト化につながるとともに、２段構造を有する汎用品は少ないため使用者に不便であるという問題がある。
【０００８】
そこで、本発明では、目当て部が折り返されているか否かにかかわらず、一定内径の凹部のみを有する保護キャップを装着可能なアイカップを備えた光学機器を提供することを目的としている。
【０００９】
【課題を解決するための手段】
上記の目的を達成するために、本発明では、光学機器の接眼部に装着される装着部と、この装着部から接眼部の光軸方向に延びており、外周面が装着部の外周面と向かい合うように折り返しが可能な目当て部と、目当て部のうち目を当てる側の端部外周に形成されたフランジ部と、を備えたアイカップと、アイカップの目当て部の外周に装着可能な保護キャップとを有している。そして、目当て部のうちフランジ部を除いた部分の外径が装着部の外径よりも大きいとともに、目当て部の内径が装着部の外径以上となっている。また、フランジ部は、目当て部が折り返されていないときのフランジ部の外径を、折り返された目当て部の外径と略等しくさせる大きさ（高さ）を有しており、目当て部が折り返されていないときのフランジ部と、折り返された目当て部の外径部とが保護キャップの同一部分に装着可能となっている。
【００１３】
これらにより、一定内径の凹部を有する低コスト品および汎用品としての保護キャップを、目当て部が折り返されていない状態でも折り返された状態でも装着することが可能な光学機器を実現することができる。しかも、アイカップを段付き形状とすることで、段部で折り返し方向および復元方向への付勢作用が働くことにより、目当て部の折り返しおよび復元操作を容易に行うことができる。また、目当て部にフランジ部を設けた場合には、目当て部を折り返さないときの顔面への接触感や保護キャップ装着の感触を、目当て部を折り返したときと同等にすることができる。
【００１４】
なお、装着部と目当て部との間に肉薄部分を形成することにより、目当て部の折り返し位置を規定することが可能となり、より折り返し操作が容易となる。
【００１５】
そして、眼鏡等の使用の有無にかかわらず使い勝手が良く、いちいち専用の保護キャップを用意する必要のない光学機器を実現することが可能となる。
【００１６】
【発明の実施の形態】
（第１実施形態）
図１および図２には、本発明の第１実施形態であるアイカップおよびこのアイカップに保護キャップを装着した保護装置を示している。これらの図において、１はビデオカメラ等の光学機器に設けられた接眼レンズ鏡筒であり、この内部には接眼レンズＩおよび視野絞りIIが所定の位置関係で保持されている。接眼レンズＩは、視野絞りII付近に結像された観察像を拡大して見るためのものである。
【００１７】
図１（ａ）に示すように、アイカップ２は、本実施形態では、柔軟なゴム材で回転体形状に成型され、接眼レンズ鏡筒１に装着される装着部２ａと、この装着部２ａから接眼レンズＩの光射出方向に延出し、外側に折り返しが可能な目当て部２ｂとを有する。
【００１８】
目当て部２ｂの当て側端部（光射出方向先端）の外周には、フランジ部２ｄが形成されている。これは、観察者が目当て部２ｂの先端に目の周辺の顔面を押し当てる状態を考慮して目に優しい形状とするとともに、後述するように目当て部２ｂに保護キャップ６を装着する際の感触や強さを、目当て部２ｂを折り返したときの装着感触や強さと同様に設定するための合わせ込みを行い易くするためである。
【００１９】
目当て部２ｂは、フランジ部２ｄを除いた部分の外径φ３が装着部２ａの外径φ１より大きくなるように、かつその内径φ２が装着部２ａの外径φ１以上となるように形成されており、アイカップ２は全体として２段筒形状となっている。
【００２０】
さらに、装着部２ａと目当て部２ｂとの間である段部近傍のうち目当て部２ｂ側の位置には、内周に半円断面形状を有する溝が形成されることによって薄肉部２ｃが設けられている。目当て部２ｂは、図２（ａ）に示すように、この薄肉部２ｃから装着部２ａに重なるように外側に折り返され、眼鏡を装着した観察者でも良好な観察ができるようになっている。
【００２１】
このように薄肉部２ｃを設けることにより、この薄肉部２ｃから先端側の部分を折り返し部分として規定することができ、折り返し操作も行い易くなる。また、薄肉部２ｃの位置をわずかに前後させることで、折り返し部分の長さや位置、或いは保護キャップ６との嵌合位置を微妙に調整することができる。
【００２２】
さらに、薄肉部２ｃを段部の近傍に設けることにより、段部で折り返し方向および復元方向への付勢作用が働くので、目当て部の折り返しおよび復元操作をより容易に行うことができる。
【００２３】
ここで、図１（ａ）に示すように折り返されていないときの目当て部２ｂのフランジ部２ｄを含めた外径をφＡとし、図２（ａ）に示すように折り返された目当て部２ｂの外径をφＢとすると、φＡとφＢとは略等しくなる。
【００２４】
本実施形態の場合、第１に、フランジ部２ｄを除いた部分の外径φ３が装着部２ａの外径φ１より大きく、かつその内径φ２が装着部２ａの外径φ１以上となるように目当て部２ｂの肉厚を設定することによって、目当て部２ｂが折り返されて装着部２ａに重なったときの外径増加分を小さく抑えていること、第２に目当て部２ｂが折り返されて装着部２ａに重なったときの外径増加分を見込んでフランジ部２ｄの高さを設定していることにより、φＡとφＢとを略等しくすることができる。
【００２５】
このため、図１（ｂ）および図２（ｂ）に示すように、目当て部２ｂが折り返されていない状態でも折り返された状態でも、同じ保護キャップ６を目当て部２ｂの外周に嵌合装着することができる。
【００２６】
保護キャップ６は、内側に内径φＣを有する凹部のみが形成された単純な底付き円筒形状に形成されたものであり、その円筒部分が、目当て部２ｂが折り返されていない状態ではフランジ部２ｄの外周に嵌合し、目当て部２ｂが折り返された状態では目当て部２ｂの外周のほぼ全体に嵌合する。
【００２７】
ここで、保護キャップ６の内径φＣは、目当て部２ｂの外径φＡ，φＢと比較してやや小さく設定されている。これにより、折り返されていない状態および折り返された状態のいずれの目当て部２ｂに保護キャップ６を装着した場合でも、保護キャップ６は目当て部２ｂを径方向内方にチャージした状態でこの目当て部２ｂに嵌合し、簡単に目当て部２ｂから脱落することがなくなる。
【００２８】
なお、目当て部２ｂの折り返されていない状態での外径φＡと折り返された状態での外径φＢとは、完全に同径でなくてもよく、それぞれ保護キャップ６が嵌合装着されたときに適度にチャージされる大きさであればよい。
【００２９】
例えば、フランジ部２ｄの外周に保護キャップ６が嵌合する図１（ｂ）の状態では、目当て部２ｂのほぼ全体に保護キャップ６が嵌合する図２（ｂ）の状態に比べて、保護キャップ６との接触面積が小さいので、外径φＡを外径φＢより若干大きくした方が、双方の状態での保護キャップ６の装着に必要な力や装着保持力のバランスがよくなる。
【００３０】
つまり、前述した外径φＡと外径φＢとが略等しいとは、同一の保護キャップ６を装着できる程度に等しいという意味であり、上述した装着バランスを調整するために生ずる程度の差を持っていてもよいものである。
【００３１】
（第２実施形態）
図３には、本発明の第２実施形態であるアイカップおよびこのアイカップに保護キャップを装着した保護装置を示している。なお、本実施形態において、第１実施形態と共通の構成要素については同じ符号を付して説明に代える。
【００３２】
本実施形態のアイカップ１２は、柔軟なゴム材で回転体形状に成型され、接眼レンズ鏡筒１に装着される装着部１２ａと、この装着部１２ａから接眼レンズＩの光射出方向に延出し、外側に折り返しが可能な目当て部１２ｂとを有する。
【００３３】
第１実施形態と同様の理由から、目当て部１２ｂの当て側端部（光射出方向先端）の外周にはフランジ部１２ｄが形成されており、また、装着部１２ａと目当て部１２ｂとの間の位置には、内周に半円断面形状を有する溝が形成されることによって薄肉部１２ｃが設けられている。
【００３４】
目当て部１２ｂは、第１実施形態と異なり、その外径および内径とも装着部１２ａの外径および内径と等しくなるように形成されている。但し、フランジ部１２ｄは、第１実施形態のものに比べて高くなるように形成されている。
【００３５】
ここで、図３（ａ）に示すように折り返されていないときの目当て部１２ｂのフランジ部１２ｄを含めた外径をφＡとし、図３（ｂ）に示すように折り返された目当て部１２ｂの外径をφＢとすると、φＡとφＢとは略等しくなる。
【００３６】
本実施形態の場合、目当て部１２ｂが折り返されて装着部１２ａに重なったときの外径増加分を見込んでフランジ部１２ｄの高さを高めに設定し、さらに、目当て部１２ｂが折り返されたときに、装着部１２ａの外周に形成された溝部１２ｅ内にフランジ部１２ｄの端部を挿入させて、高めに設定したフランジ部１２ｄが逆に折り返し時の目当て部１２ｂの外径をφＢより大きくしてしまうのを防止しているために、φＡとφＢとを略等しくすることができる。
【００３７】
このため、目当て部１２ｂが折り返されていない状態でも折り返された状態でも、同じ保護キャップ６を目当て部１２ｂの外周に嵌合装着することができる。
【００３８】
また、本実施形態でも、目当て部１２ｂの外径φＡ，φＢと比較して保護キャップ６の内径φＣがやや小さくなるように設定されているので、目当て部１２ｂを折り返されていない状態および折り返された状態のいずれの状態でも、保護キャップ６を装着することによって目当て部１２ｂがチャージされ、保護キャップ６が簡単に目当て部１２ｂから脱落することがなくなる。
【００３９】
【発明の効果】
以上説明したように本発明によれば、アイカップを、折り返された目当て部の外径が、折り返されていない目当て部の外径と略等しくなるように形成しているので、一定内径の凹部を有する低コスト品および汎用品としての保護キャップを、折り返されていない状態および折り返された状態の目当て部に装着することができる。
【００４０】
しかも、アイカップを段付き形状とした場合には、段部で折り返し方向および復元方向への付勢作用が働くことにより、目当て部の折り返しおよび復元操作を容易に行うことができる。
【００４１】
なお、装着部と目当て部との間に肉薄部分を形成することにより、目当て部の折り返し位置を規定することが可能となり、より折り返し操作を容易に行うことができる。
【００４２】
そして、眼鏡等の使用の有無にかかわらず使い勝手が良く、いちいち専用の保護キャップを用意する必要のない光学機器を実現することができる。
【図面の簡単な説明】
【図１】本発明の第１実施形態であるアイカップ（目当て部を折り返していない状態）およびこのアイカップに保護キャップを装着した保護装置の断面図である。
【図２】  上記アイカップ（目当て部を折り返した状態）およびこのアイカップに保護キャップを装着した保護装置の断面図である。
【図３】本発明の第２実施形態であるアイカップおよびこのアイカップに保護キャップを装着した保護装置の断面図である。
【符号の説明】
I  接眼レンズ
II  視野絞り
１  接眼鏡筒
２  アイカップ
２ａ  装着部
２ｂ  目当て部
２ｃ  薄肉部
２ｄ  フランジ部
６  保護キャップ
【図１】
0004208348.tif 000002
【図２】
0004208348.tif 000003
【図３】
0004208348.tif 000004